(57)【要約】【課題】  実際の出力画像と、ログ画像との整合性を従来より向上することができる画像出力装置を提供する。【解決手段】  ＭＦＰは、画像を出力するプリンターと、プリンターによって出力される画像である出力画像の元になる画像である元画像を生成する元画像生成手段と、出力画像のログとしてのログ画像を元画像に基づいて生成するログ画像生成手段とを備えており、ログ画像生成手段は、プリンターによる出力画像の出力が途中で終了した場合に（Ｓ１０４でＹＥＳ）、元画像生成手段によって生成された元画像のうちプリンターによって出力画像が出力されたページである出力済ページの元画像のみに基づいてログ画像を生成する（Ｓ１１０）ことを特徴とする。【選択図】  図５
2014107599.tif 000002
【特許請求の範囲】
【請求項１】
画像を出力する画像出力部と、前記画像出力部によって出力される画像である出力画像の元になる画像である元画像を生成する元画像生成手段と、前記出力画像のログとしてのログ画像を前記元画像に基づいて生成するログ画像生成手段とを備えており、
前記ログ画像生成手段は、前記画像出力部による前記出力画像の出力が途中で終了した場合に、前記元画像生成手段によって生成された前記元画像のうち前記画像出力部によって前記出力画像が出力されたページである出力済ページの元画像のみに基づいて前記ログ画像を生成することを特徴とする画像出力装置。
【請求項２】
前記ログ画像生成手段は、前記出力済ページの数である出力済ページ数に基づいて前記出力済ページの前記元画像を判断することを特徴とする請求項１に記載の画像出力装置。
【請求項３】
前記元画像生成手段によって生成された前記元画像を記憶する不揮発性の記憶装置である元画像記憶装置を備えており、
前記元画像生成手段は、前記出力済ページ数を前記元画像のメタデータに含め、
前記ログ画像生成手段は、前記元画像記憶装置に記憶されている前記元画像の前記メタデータに含まれている前記出力済ページ数に基づいて前記出力済ページの前記元画像を判断することを特徴とする請求項２に記載の画像出力装置。
【請求項４】
前記出力済ページ数を記憶するＲＡＭを備えており、
前記ログ画像生成手段は、前記ＲＡＭに記憶されている前記出力済ページ数に基づいて前記出力済ページの前記元画像を判断することを特徴とする請求項２に記載の画像出力装置。
【請求項５】
請求項１から請求項４までの何れかに記載の画像出力装置と、前記ログ画像を記憶するログ画像記憶装置を備えているログ画像記憶サーバーとを備えており、
前記画像出力装置は、前記ログ画像生成手段によって生成された前記ログ画像を前記ログ画像記憶サーバーに送信するログ画像送信手段を備えており、
前記ログ画像記憶サーバーは、前記画像出力装置から送信されてきた前記ログ画像を前記ログ画像記憶装置に書き込むログ画像書込手段を備えていることを特徴とする画像出力システム。
【請求項６】
画像を出力する画像出力部を備えている画像出力装置によって実行される画像出力プログラムであって、
前記画像出力部によって出力される画像である出力画像の元になる画像である元画像を生成する元画像生成手段、および、前記出力画像のログとしてのログ画像を前記元画像に基づいて生成するログ画像生成手段として、前記画像出力装置を機能させ、
前記ログ画像生成手段は、前記画像出力部による前記出力画像の出力が途中で終了した場合に、前記元画像生成手段によって生成された前記元画像のうち前記画像出力部によって前記出力画像が出力されたページである出力済ページの元画像のみに基づいて前記ログ画像を生成することを特徴とする画像出力プログラム。
【発明の詳細な説明】
【技術分野】
【０００１】
本発明は、出力した画像のログとしてのログ画像を生成する画像出力装置、画像出力システムおよび画像出力プログラムに関する。
【背景技術】
【０００２】
従来の画像出力装置として、画像を印刷する印刷部と、印刷部によって印刷される画像の元になる画像を生成する画像読取部と、印刷部によって印刷される画像のログとしてのログイメージを、画像読取部によって生成された画像に基づいて作成するログイメージ作成部とを備えているものが知られている（特許文献１参照。）。
【先行技術文献】
【特許文献】
【０００３】
【特許文献１】特開２００７−１６６１７５号公報
【発明の概要】
【発明が解決しようとする課題】
【０００４】
しかしながら、従来の画像出力装置においては、印刷部による画像の印刷が途中で終了した場合に、終了のタイミングによっては、ログイメージ作成部によって生成されたログイメージのページの数が、実際に印刷部によって印刷された画像のページの数より多くなるときがある。ログイメージ作成部によって生成されたログイメージと、実際に印刷部によって印刷された画像との不一致は、ログイメージのログとしての性質上、問題である。
【０００５】
そこで、本発明は、実際の出力画像と、ログ画像との整合性を従来より向上することができる画像出力装置を提供することを目的とする。
【課題を解決するための手段】
【０００６】
本発明の画像出力装置は、画像を出力する画像出力部と、前記画像出力部によって出力される画像である出力画像の元になる画像である元画像を生成する元画像生成手段と、前記出力画像のログとしてのログ画像を前記元画像に基づいて生成するログ画像生成手段とを備えており、前記ログ画像生成手段は、前記画像出力部による前記出力画像の出力が途中で終了した場合に、前記元画像生成手段によって生成された前記元画像のうち前記画像出力部によって前記出力画像が出力されたページである出力済ページの元画像のみに基づいて前記ログ画像を生成することを特徴とする。
【０００７】
この構成により、本発明の画像出力装置は、画像出力部による出力画像の出力が途中で終了した場合に、出力画像の元画像のうち出力済ページの元画像のみに基づいてログ画像を生成するので、実際の出力画像と、ログ画像との整合性を従来より向上することができる。
【０００８】
また、本発明の画像出力装置において、前記ログ画像生成手段は、前記出力済ページの数である出力済ページ数に基づいて前記出力済ページの前記元画像を判断しても良い。
【０００９】
この構成により、本発明の画像出力装置は、出力画像の元画像のページのうち何れのページを出力したかを出力済ページ数に基づいて判断するので、出力画像の元画像のページのうち何れのページを出力したかをページ毎にばらばらに管理する構成と比較して、出力画像の元画像のページのうち何れのページを出力したかの判断の処理の負担を軽減することができる。
【００１０】
また、本発明の画像出力装置は、前記元画像生成手段によって生成された前記元画像を記憶する不揮発性の記憶装置である元画像記憶装置を備えており、前記元画像生成手段は、前記出力済ページ数を前記元画像のメタデータに含め、前記ログ画像生成手段は、前記元画像記憶装置に記憶されている前記元画像の前記メタデータに含まれている前記出力済ページ数に基づいて前記出力済ページの前記元画像を判断しても良い。
【００１１】
この構成により、本発明の画像出力装置は、画像出力部による出力画像の出力が画像出力装置の電源断によって途中で終了した場合に、この出力画像のログ画像の生成が完了していないときであっても、不揮発性の記憶装置である元画像記憶装置に記憶されている元画像と、この元画像のメタデータに含まれている出力済ページ数とに基づいて、画像出力装置の電源の回復後に、実際の出力画像と整合したログ画像の生成を完了することができる。
【００１２】
また、本発明の画像出力装置は、前記出力済ページ数を記憶するＲＡＭを備えており、前記ログ画像生成手段は、前記ＲＡＭに記憶されている前記出力済ページ数に基づいて前記出力済ページの前記元画像を判断しても良い。
【００１３】
この構成により、本発明の画像出力装置は、ＲＡＭに記憶されている出力済ページ数に基づいてログ画像を生成するので、ＣＰＵによるアクセス速度がＲＡＭより遅い不揮発性の記憶装置に記憶されている出力済ページ数に基づいてログ画像を生成する構成と比較して、ログ画像の生成の速度を向上することができる。
【００１４】
本発明の画像出力システムは、上述の画像出力装置と、前記ログ画像を記憶するログ画像記憶装置を備えているログ画像記憶サーバーとを備えており、前記画像出力装置は、前記ログ画像生成手段によって生成された前記ログ画像を前記ログ画像記憶サーバーに送信するログ画像送信手段を備えており、前記ログ画像記憶サーバーは、前記画像出力装置から送信されてきた前記ログ画像を前記ログ画像記憶装置に書き込むログ画像書込手段を備えていることを特徴とする。
【００１５】
この構成により、本発明の画像出力システムは、実際の出力画像との整合性が従来より向上したログ画像をログ画像記憶サーバーが画像出力装置から受信して記憶するので、画像出力装置の利用者の出力画像のログ画像を、ログ画像記憶サーバーを使用する管理者によって従来より正確に把握させることができる。
【００１６】
本発明の画像出力プログラムは、画像を出力する画像出力部を備えている画像出力装置によって実行される画像出力プログラムであって、前記画像出力部によって出力される画像である出力画像の元になる画像である元画像を生成する元画像生成手段、および、前記出力画像のログとしてのログ画像を前記元画像に基づいて生成するログ画像生成手段として、前記画像出力装置を機能させ、前記ログ画像生成手段は、前記画像出力部による前記出力画像の出力が途中で終了した場合に、前記元画像生成手段によって生成された前記元画像のうち前記画像出力部によって前記出力画像が出力されたページである出力済ページの元画像のみに基づいて前記ログ画像を生成することを特徴とする。
【００１７】
この構成により、本発明の画像出力プログラムを実行する画像出力装置は、画像出力部による出力画像の出力が途中で終了した場合に、出力画像の元画像のうち出力済ページの元画像のみに基づいてログ画像を生成するので、実際の出力画像と、ログ画像との整合性を従来より向上することができる。
【発明の効果】
【００１８】
本発明の画像出力装置は、実際の出力画像と、ログ画像との整合性を従来より向上することができる。
【図面の簡単な説明】
【００１９】
【図１】本発明の一実施の形態に係る画像出力システムのブロック図である。
【図２】図１に示すＭＦＰのブロック図である。
【図３】図２に示す制御部の機能のブロック図である。
【図４】図１に示すログ画像記憶サーバーのブロック図である。
【図５】コピーのジョブを実行する場合の図２に示すＭＦＰの動作のフローチャートである。
【図６】起動された場合の図２に示すＭＦＰの動作のフローチャートである。
【発明を実施するための形態】
【００２０】
以下、本発明の一実施の形態について、図面を用いて説明する。
【００２１】
まず、本実施の形態に係る画像出力システム１０の構成について説明する。
【００２２】
図１は、本実施の形態に係る画像出力システム１０のブロック図である。
【００２３】
図１に示すように、画像出力システム１０は、ＭＦＰ（Ｍｕｌｔｉｆｕｎｃｔｉｏｎ  Ｐｅｒｉｐｈｅｒａｌ）２０を含む多数のＭＦＰと、ＭＦＰによって出力される画像である出力画像のログとしてのログ画像を記憶するログ画像記憶サーバー３０と、ＭＦＰに印刷データを送信可能であるコンピューター４０を含む多数のコンピューターとを備えている。多数のＭＦＰと、ログ画像記憶サーバー３０とは、ＬＡＮ（Ｌｏｃａｌ  Ａｒｅａ  Ｎｅｔｗｏｒｋ）、インターネットなどのネットワーク１１を介して互いに通信可能に接続されている。同様に、多数のＭＦＰと、コンピューターとは、ネットワーク１１を介して互いに通信可能に接続されている。なお、多数のＭＦＰは、それぞれ本発明の画像出力装置を構成している。また、多数のコンピューターのそれぞれは、例えばＰＣ（Ｐｅｒｓｏｎａｌ  Ｃｏｍｐｕｔｅｒ）である。
【００２４】
なお、画像出力システム１０に含まれている多数のＭＦＰのそれぞれの構成は、ＭＦＰ２０の構成と同様である。したがって、以下においては、画像出力システム１０に含まれる多数のＭＦＰを代表してＭＦＰ２０について説明する。
【００２５】
また、画像出力システム１０に含まれている多数のコンピューターのそれぞれの構成は、コンピューター４０の構成と同様である。したがって、以下においては、画像出力システム１０に含まれる多数のコンピューターを代表してコンピューター４０について説明する。
【００２６】
図２は、ＭＦＰ２０のブロック図である。
【００２７】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶装置である記憶部２７と、ＭＦＰ２０全体を制御する制御部２８とを備えている。
【００２８】
操作部２１は、表示部２２とともにタッチパネルを形成する入力デバイスを含んでいても良い。
【００２９】
プリンター２４は、画像を印刷によって出力する装置であり、本発明の画像出力部を構成している。
【００３０】
ファックス通信部２５は、画像をファックス送信によって出力する装置であり、本発明の画像出力部を構成している。
【００３１】
ネットワーク通信部２６は、画像を電子メールの送信などのネットワーク１１を介した電子的な送信によって出力する装置であり、本発明の画像出力部を構成している。
【００３２】
記憶部２７は、ＭＦＰ２０によって実行される画像出力プログラム２７ａを記憶している。画像出力プログラム２７ａは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ２０に追加でインストールされても良いし、ネットワーク１１上からＭＦＰ２０に追加でインストールされても良い。
【００３３】
また、記憶部２７は、プリンター２４、ファックス通信部２５またはネットワーク通信部２６によって出力される画像である出力画像の元になる画像である元画像２７ｂを複数記憶することが可能である。すなわち、記憶部２７は、本発明の元画像記憶装置を構成している。
【００３４】
元画像２７ｂは、例えばＪＰＥＧ（Ｊｏｉｎｔ  Ｐｈｏｔｏｇｒａｐｈｉｃ  Ｅｘｐｅｒｔｓ  Ｇｒｏｕｐ）形式の画像である。元画像２７ｂは、この元画像２７ｂのページのうちプリンター２４、ファックス通信部２５またはネットワーク通信部２６によって出力画像が出力されたページである出力済ページの数である出力済ページ数２７ｃをメタデータとして含むことが可能である。
【００３５】
制御部２８は、例えば、ＣＰＵ（Ｃｅｎｔｒａｌ  Ｐｒｏｃｅｓｓｉｎｇ  Ｕｎｉｔ）２８ａと、プログラムおよび各種のデータを予め記憶しているＲＯＭ（Ｒｅａｄ  Ｏｎｌｙ  Ｍｅｍｏｒｙ）２８ｂと、ＣＰＵ２８ａの作業領域として用いられるＲＡＭ（Ｒａｎｄｏｍ  Ａｃｃｅｓｓ  Ｍｅｍｏｒｙ）２８ｃとを備えている。ＣＰＵ２８ａは、ＲＯＭ２８ｂまたは記憶部２７に記憶されているプログラムを実行するようになっている。
【００３６】
ＲＡＭ２８ｃは、ジョブの属性情報であるジョブ属性情報２８ｄをジョブ毎に記憶することが可能である。ジョブ属性情報２８ｄと、上述の元画像２７ｂとは、ジョブ毎に対応付けられている。ジョブ属性情報２８ｄは、ジョブ属性情報２８ｄ自身に対応付けられて記憶部２７に記憶されている元画像２７ｂのページのうちプリンター２４、ファックス通信部２５またはネットワーク通信部２６によって出力画像が出力されたページである出力済ページの数である出力済ページ数２８ｅを含んでいる。また、ジョブ属性情報２８ｄは、出力済ページ数２８ｅ以外の情報として、例えば、コピーのジョブ、ファックス送信のジョブなどのジョブの種類と、ジョブに含まれている全てのページの数と、ジョブにおけるカラー印刷またはモノクロ印刷の指定と、ジョブにおける印刷濃度の指定と、ジョブにおける集約印刷の指定とを含んでいる。
【００３７】
図３は、制御部２８の機能のブロック図である。
【００３８】
制御部２８は、記憶部２７に記憶されている画像出力プログラム２７ａを実行することによって、図３に示すように、記憶部２７（図２参照。）によって記憶される元画像２７ｂ（図２参照。）を生成する元画像生成手段２８ｆ、出力画像のログとしてのログ画像を元画像２７ｂに基づいて生成するログ画像生成手段２８ｇ、および、ログ画像生成手段２８ｇによって生成されたログ画像をログ画像記憶サーバー３０（図１参照。）に送信するログ画像送信手段２８ｈとして機能する。
【００３９】
ログ画像生成手段２８ｇによって生成されたログ画像は、例えばＰＤＦ（Ｐｏｒｔａｂｌｅ  Ｄｏｃｕｍｅｎｔ  Ｆｏｒｍａｔ）形式の画像である。
【００４０】
図４は、ログ画像記憶サーバー３０のブロック図である。
【００４１】
図４に示すように、ログ画像記憶サーバー３０は、種々の操作が入力されるマウスやキーボードなどの入力デバイスである操作部３１と、種々の情報を表示するＬＣＤなどの表示デバイスである表示部３２と、ネットワーク１１（図１参照。）経由で外部の装置と通信を行うネットワーク通信デバイスであるネットワーク通信部３３と、プログラムおよび各種のデータを記憶しているＨＤＤなどの不揮発性の記憶装置である記憶部３４と、ログ画像記憶サーバー３０全体を制御する制御部３５とを備えている。ログ画像記憶サーバー３０は、例えばＰＣなどのコンピューターによって構成されている。
【００４２】
記憶部３４は、ログ画像記憶サーバー３０用のプログラムであるサーバー用プログラム３４ａを記憶している。サーバー用プログラム３４ａは、ログ画像記憶サーバー３０の製造段階でログ画像記憶サーバー３０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの記憶媒体からログ画像記憶サーバー３０に追加でインストールされても良いし、ネットワーク１１上からログ画像記憶サーバー３０に追加でインストールされても良い。
【００４３】
記憶部３４は、ＭＦＰ２０から送信されてきたログ画像３４ｂを記憶することが可能である。すなわち、記憶部３４は、本発明のログ画像記憶装置を構成している。
【００４４】
制御部３５は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部３４に記憶されているプログラムを実行するようになっている。
【００４５】
制御部３５は、記憶部３４に記憶されているサーバー用プログラム３４ａを実行することによって、ＭＦＰ２０から送信されてきたログ画像３４ｂを記憶部３４に書き込むログ画像書込手段３５ａとして機能する。
【００４６】
次に、画像出力システム１０の動作について説明する。
【００４７】
まず、コピーのジョブを実行する場合のＭＦＰ２０の動作について説明する。
【００４８】
図５は、コピーのジョブを実行する場合のＭＦＰ２０の動作のフローチャートである。
【００４９】
ＭＦＰ２０の制御部２８は、操作部２１を介してコピーの指示を受けると、図５に示す動作を開始する。
【００５０】
図５に示すように、制御部２８の元画像生成手段２８ｆは、スキャナー２３によって原稿から読み取られた画像に基づいて元画像２７ｂを記憶部２７上に生成することを開始する（Ｓ１０１）。ここで、元画像生成手段２８ｆは、生成した元画像２７ｂを、この元画像２７ｂが生成された時点でＭＦＰ２０にログインしている利用者のＩＤ、すなわち、この元画像２７ｂの生成を指示した利用者のＩＤに関連付けて記憶部２７に書き込む。また、元画像生成手段２８ｆは、元画像２７ｂを記憶部２７上に生成する場合、操作部２１を介して指定されていた各種の印刷条件をＲＡＭ２８ｃ上のジョブ属性情報２８ｄに含める。
【００５１】
次いで、制御部２８は、Ｓ１０１において開始された動作によって記憶部２７上に生成された元画像２７ｂに基づいた出力画像をプリンター２４によって記録媒体に印刷することを開始する（Ｓ１０２）。制御部２８は、プリンター２４によって出力画像を印刷する場合、ＲＡＭ２８ｃ上のジョブ属性情報２８ｄに応じた印刷条件で印刷を実行する。
【００５２】
次いで、制御部２８は、１ページ分の印刷が終了したか否かを判断する（Ｓ１０３）。
【００５３】
制御部２８は、１ページ分の印刷が終了していないとＳ１０３において判断すると、このジョブのキャンセルが操作部２１を介して指示されたか否かを判断する（Ｓ１０４）。
【００５４】
制御部２８は、このジョブのキャンセルが指示されていないとＳ１０４において判断すると、再びＳ１０３の処理に戻る。
【００５５】
制御部２８の元画像生成手段２８ｆは、１ページ分の印刷が終了したとＳ１０３において判断されると、記憶部２７上に記憶されているこのジョブの元画像２７ｂのメタデータとしての出力済ページ数２７ｃと、ＲＡＭ２８ｃ上に記憶されているこのジョブの出力済ページ数２８ｅとを１ずつ増やす（Ｓ１０５）。
【００５６】
次いで、制御部２８は、Ｓ１０１において開始された動作によって記憶部２７上に生成された元画像２７ｂの全ページ分の印刷が終了したか否かを判断する（Ｓ１０６）。
【００５７】
制御部２８は、元画像２７ｂの全ページ分の印刷が終了していないとＳ１０６において判断すると、再びＳ１０３の処理に戻る。
【００５８】
一方、制御部２８のログ画像生成手段２８ｇは、元画像２７ｂの全ページ分の印刷が終了したとＳ１０６において判断されると、記憶部２７上のこの全ページ分の元画像２７ｂに基づいて、この全ページ分のログ画像を生成する（Ｓ１０７）。ここで、ログ画像生成手段２８ｇは、生成したログ画像を、元画像２７ｂに関連付けられていた利用者のＩＤと同一のＩＤに関連付けて記憶部２７に書き込む。
【００５９】
制御部２８は、このジョブのキャンセルが指示されたとＳ１０４において判断すると、Ｓ１０２において開始した出力画像の印刷を終了する（Ｓ１０８）。
【００６０】
次いで、制御部２８は、Ｓ１０１において開始した元画像２７ｂの生成を終了する（Ｓ１０９）。ここで、制御部２８は、Ｓ１０１において開始した元画像２７ｂの生成を既に終了している場合には、Ｓ１０９の処理を飛ばしてＳ１１０の処理を実行する。
【００６１】
次いで、制御部２８のログ画像生成手段２８ｇは、記憶部２７上のこのジョブの元画像２７ｂのうち出力済ページ分の元画像、すなわち、ＲＡＭ２８ｃ上に記憶されているこのジョブの出力済ページ数２８ｅの分の元画像に基づいて、このジョブの出力済ページ分のログ画像を生成する（Ｓ１１０）。ここで、ログ画像生成手段２８ｇは、生成したログ画像を、元画像２７ｂに関連付けられていた利用者のＩＤと同一のＩＤに関連付けて記憶部２７に書き込む。
【００６２】
制御部２８は、Ｓ１０７の処理またはＳ１１０の処理の後、このジョブの元画像２７ｂを記憶部２７上から削除して（Ｓ１１１）、図５に示す動作を終了する。
【００６３】
次に、起動された場合のＭＦＰ２０の動作について説明する。
【００６４】
図６は、起動された場合のＭＦＰ２０の動作のフローチャートである。
【００６５】
ＭＦＰ２０の制御部２８は、起動されると、図６に示す動作を開始する。
【００６６】
図６に示すように、制御部２８は、記憶部２７上に元画像２７ｂが記憶されているか否かを判断する（Ｓ１３１）。ここで、元画像２７ｂは、図５に示すコピーのジョブの実行において生成された後でＳ１１１の処理が実行される前にＭＦＰ２０の電源断が発生した場合には、記憶部２７上に記憶されたままになっている。
【００６７】
制御部２８は、記憶部２７上に元画像２７ｂが記憶されていないとＳ１３１において判断すると、図６に示す動作を終了する。
【００６８】
一方、制御部２８のログ画像生成手段２８ｇは、記憶部２７上に元画像２７ｂが記憶されているとＳ１３１において判断されると、記憶部２７上のこの元画像２７ｂのうち出力済ページ分の元画像、すなわち、この元画像２７ｂのメタデータとしての出力済ページ数２７ｃの分の元画像に基づいて、出力済ページ分のログ画像を生成する（Ｓ１３２）。ここで、ログ画像生成手段２８ｇは、生成したログ画像を、元画像２７ｂに関連付けられていた利用者のＩＤと同一のＩＤに関連付けて記憶部２７に書き込む。
【００６９】
次いで、制御部２８は、この元画像２７ｂを記憶部２７上から削除して（Ｓ１３３）、図６に示す動作を終了する。
【００７０】
なお、図５に示すＳ１０７の処理、図５に示すＳ１１０の処理または図６に示すＳ１３２の処理において生成されたログ画像は、例えば１時間毎などの所定のタイミングで、ＭＦＰ２０の制御部２８のログ画像送信手段２８ｈによってネットワーク１１経由でログ画像記憶サーバー３０に送信される。
【００７１】
そして、ログ画像記憶サーバー３０の制御部３５がネットワーク１１経由でログ画像受信すると、制御部３５のログ画像書込手段３５ａは、受信したログ画像をログ画像３４ｂとして記憶部３４に書き込む。
【００７２】
なお、以上においては、出力画像の出力の例としてコピーのジョブについて説明している。しかしながら、ＭＦＰ２０がコンピューター４０から受信した印刷データに基づいてプリンター２４によって出力画像を印刷によって出力するプリントのジョブなど、コピーのジョブ以外のジョブによって出力画像を印刷によって出力する場合も同様である。また、ＭＦＰ２０がファックス通信部２５によって画像をファックス送信によって出力するファックス送信のジョブ、ＭＦＰ２０がネットワーク通信部２６によって画像をネットワーク１１を介した電子的な送信によって出力する送信のジョブなど、出力画像を印刷以外の方法によって出力するジョブの場合も同様である。
【００７３】
以上に説明したように、画像出力システム１０のＭＦＰ２０のログ画像生成手段２８ｇは、プリンター２４、ファックス通信部２５またはネットワーク通信部２６による出力画像の出力がジョブのキャンセルまたは電源断によって途中で終了した場合に、元画像生成手段２８ｆによって生成された元画像２７ｂのうちプリンター２４、ファックス通信部２５またはネットワーク通信部２６によって出力画像が出力されたページである出力済ページの元画像のみに基づいてログ画像を生成する（Ｓ１１０、Ｓ１３２）。この構成により、ＭＦＰ２０は、プリンター２４、ファックス通信部２５またはネットワーク通信部２６による出力画像の出力が途中で終了した場合に、出力画像の元画像２７ｂのうち出力済ページの元画像２７ｂのみに基づいてログ画像を生成するので、実際の出力画像と、ログ画像との整合性を従来より向上することができる。
【００７４】
画像出力システム１０は、実際の出力画像との整合性が従来より向上したログ画像３４ｂをログ画像記憶サーバー３０がＭＦＰ２０から受信して記憶するので、ＭＦＰ２０の利用者の出力画像のログ画像を、ログ画像記憶サーバー３０を使用する管理者によって従来より正確に把握させることができる。したがって、例えば出力画像によって情報漏洩があった場合であっても、管理者は、漏洩元である利用者をログ画像記憶サーバー３０上のログ画像３４ｂに関連付けられている利用者のＩＤに基づいて従来より正確に特定することができる。
【００７５】
ＭＦＰ２０のログ画像生成手段２８ｇは、元画像生成手段２８ｆによって生成された元画像２７ｂのページのうちプリンター２４、ファックス通信部２５またはネットワーク通信部２６によって出力画像が出力されたページの数である出力済ページ数に基づいて、この元画像２７ｂのうち出力済ページの元画像を判断する（Ｓ１１０、Ｓ１３２）。この構成により、ＭＦＰ２０は、出力画像の元画像２７ｂのページのうち何れのページを出力したかを出力済ページ数に基づいて判断するので、出力画像の元画像２７ｂのページのうち何れのページを出力したかをページ毎にばらばらに管理する構成と比較して、出力画像の元画像２７ｂのページのうち何れのページを出力したかの判断の処理の負担を軽減することができる。
【００７６】
また、ＭＦＰ２０のログ画像生成手段２８ｇは、記憶部２７に記憶されている元画像２７ｂのメタデータに含まれている出力済ページ数２７ｃに基づいて、この元画像２７ｂのうち出力済ページの元画像２７ｂを判断する（Ｓ１３２）。この構成により、ＭＦＰ２０は、プリンター２４、ファックス通信部２５またはネットワーク通信部２６による出力画像の出力がＭＦＰ２０の電源断によって途中で終了した場合に、この出力画像のログ画像の生成が完了していないときであっても、記憶部２７である記憶部２７に記憶されている元画像２７ｂと、この元画像２７ｂのメタデータに含まれている出力済ページ数２７ｃとに基づいて、ＭＦＰ２０の電源の回復後に、実際の出力画像と整合したログ画像の生成を完了することができる。
【００７７】
また、ＭＦＰ２０のログ画像生成手段２８ｇは、ＲＡＭ２８ｃに記憶されている出力済ページ数２８ｅに基づいて、元画像生成手段２８ｆによって生成された元画像２７ｂのうち出力済ページの元画像２７ｂを判断する（Ｓ１１０）。この構成により、ＭＦＰ２０は、ＲＡＭ２８ｃに記憶されている出力済ページ数２８ｅに基づいてログ画像を生成するので、ＣＰＵ２８ａによるアクセス速度がＲＡＭ２８ｃより遅い記憶部２７に記憶されている出力済ページ数２７ｃに基づいてログ画像を生成する構成と比較して、ログ画像の生成の速度を向上することができる。
【００７８】
ＭＦＰ２０のログ画像生成手段２８ｇは、本実施の形態において、プリンター２４、ファックス通信部２５またはネットワーク通信部２６による出力画像の出力がジョブのキャンセルによって途中で終了した場合に（Ｓ１０４でＹＥＳ）、ＲＡＭ２８ｃに記憶されている出力済ページ数２８ｅに基づいてログ画像を生成する（Ｓ１１０）ようになっている。しかしながら、ログ画像生成手段２８ｇは、プリンター２４、ファックス通信部２５またはネットワーク通信部２６による出力画像の出力がジョブのキャンセルによって途中で終了した場合に、ＲＡＭ２８ｃに記憶されている出力済ページ数２８ｅではなく、記憶部２７に記憶されている元画像２７ｂのメタデータに含まれている出力済ページ数２７ｃに基づいてログ画像を生成するようになっていても良い。
【００７９】
なお、プリンター２４、ファックス通信部２５またはネットワーク通信部２６による出力画像の出力がジョブのキャンセルによって途中で終了した場合に（Ｓ１０４でＹＥＳ）、記憶部２７に記憶されている元画像２７ｂのメタデータに含まれている出力済ページ数２７ｃに基づいてＭＦＰ２０のログ画像生成手段２８ｇがログ画像を生成するようになっているとき、ＭＦＰ２０は、ＲＡＭ２８ｃに出力済ページ数２８ｅを記憶するようになっていなくても良い。
【００８０】
ＭＦＰ２０は、本実施の形態において、ログ画像生成手段２８ｇによって生成されたログ画像を、記憶部２７に一旦記憶させた後で、ログ画像送信手段２８ｈによってログ画像記憶サーバー３０に送信するようになっている。しかしながら、ＭＦＰ２０は、ログ画像生成手段２８ｇによって生成されたログ画像を、記憶部２７に記憶させることなく、ログ画像送信手段２８ｈによってログ画像記憶サーバー３０に送信するようになっていても良い。
【００８１】
ＭＦＰ２０は、本実施の形態において、元画像２７ｂの全ページ分の出力が終了した後で（Ｓ１０６でＹＥＳ）、この元画像２７ｂに基づいたログ画像を生成する（Ｓ１０７）ようになっている。しかしながら、ＭＦＰ２０は、元画像２７ｂの１ページ分の出力が終了する度に、このページ分の元画像２７ｂに基づいたログ画像を生成するようになっていても良い。
【００８２】
画像出力システム１０は、本実施の形態において本発明の画像出力装置としてＭＦＰを備えているが、プリンター専用機、コピー専用機、ＦＡＸ専用機など、ＭＦＰ以外の画像形成装置を備えていても良い。
【符号の説明】
【００８３】
１０  画像出力システム
２０  ＭＦＰ（画像出力装置）
２４  プリンター（画像出力部）
２５  ファックス通信部（画像出力部）
２６  ネットワーク通信部（画像出力部）
２７  記憶部（元画像記憶装置）
２７ａ  画像出力プログラム
２７ｂ  元画像
２７ｃ  出力済ページ数
２８ｃ  ＲＡＭ
２８ｅ  出力済ページ数
２８ｆ  元画像生成手段
２８ｇ  ログ画像生成手段
２８ｈ  ログ画像送信手段
３０  ログ画像記憶サーバー
３４  記憶部（ログ画像記憶装置）
３４ｂ  ログ画像
３５ａ  ログ画像書込手段
【図１】
2014107599.tif 000003
【図２】
2014107599.tif 000004
【図３】
2014107599.tif 000005
【図４】
2014107599.tif 000006
【図５】
2014107599.tif 000007
【図６】
2014107599.tif 000008